【事件の表示】
　平成４年特許願第９８０１２号「フロアパネル及びその製造方法」拒絶査定に対する審判事件（平成６年９月１４日出願公告、特公平６−７２４８２）について、次のとおり審決する。
【結論】
　本件審判の請求は、成り立たない。
【理由】
１．本願の経緯および本願発明の要旨
　本願は、昭和６１年８月２７日に出願された特願昭６１−２００４５４の一部を平成４年４月１７日に特許出願したものであり、その出願日は、昭和６１年８月２７日とみなされるものであって、原審において平成６年９月１４日の出願公告に対しなされた特許異議申立人日立機材株式会社の特許異議申立は理由があるとの平成１０年１月１６日付け特許異議の決定に記載した理由により拒絶をすべき旨の査定がされたものであり、その発明の要旨は、出願公告後の平成８年１月４日付け手続補正書によって補正された明細書と図面によれば、その特許請求の範囲に記載されたとおりの次のとおりのものと認める。
　なお、以下において、本願の特許請求の範囲の請求項１に記載された発明を「本願第１発明」といい、本願の特許請求の範囲の請求項２に記載された発明を「本願第２発明」という。
「【請求項１】　表面板と裏面板とを少なくともそれらの端部において接合し、一体化してなるフロアパネルにおいて、前記裏面板の前記縁部に平坦部を形成すると共に前記裏面板の前記縁部の内側に複数の凹凸部を形成し、前記表面板と前記裏面板の間の空間の容積を前記凹凸部によって減少させ、前記裏面板の一つの隅部付近に充填材の注入口を形成し、前記裏面板の前記注入口の対角線上の他の隅部付近には空気抜き孔を形成し、前記注入口から前記空間内に前記充填材を充填したことを特徴とする、フロアパネル。
　【請求項２】　表面板を形成する工程と、
　縁部に平坦部を、前記縁部の内側に凹凸部をそれぞれ有し、かつ、一つの隅部付近に充填材の注入口を、該注入口が位置する対角線上の他の隅部付近に空間抜き孔をそれぞれ有する、裏面板を形成する工程と、
　前記表面板と前記裏面板とを少なくともそれらの縁部で接合して一体化し、前記表面板と前記裏面板の間に空間を形成する工程と、
　前記注入口が下方に位置しかつ前記空間抜き孔が上方に位置するように、一体化された前記表面板と前記裏面板を傾斜させて配置する工程と、
　前記注入口から充填材を前記空間内に充填し、前記空間抜き孔から前記充填材の一部が流出したときに前記充填材の充填を停止する工程と、
　前記注入口を閉塞する工程と、を有することを特徴とする、フロアパネルの製造方法。」
２．原査定の理由
　原査定の理由は、概要、「本願第１発明は、その出願前にその発明の属する技術の分野における通常の知識を有する者が、その出願前に国内において頒布された刊行物である実願昭５９−６３５３４号（実開昭６０−１７７２１５号公報）のマイクロフイルム（甲第１号証）（以下、「引用刊行物１」という。）、および実願昭５８−１９６４５２号（実開昭６０−１０２３１２号公報）のマイクロフイルム（甲第２号証）（以下、「引用刊行物２」という。）に記載された発明に基いて容易に発明をすることができたものであるから、特許法第２９条第２項の規定により特許を受けることができないものであり、本願第２発明は、その出願前にその発明の属する技術の分野における通常の知識を有する者が、その出願前に国内において頒布された刊行物である引用刊行物１、引用刊行物２に記載された発明および周知・常套の技術（「充填材の注入法として、注入口を下方に、空気抜き孔を上方に位置するように、傾斜させては位置して行うこと」は「金型便覧（昭和４７年３月３０日　日刊工業新聞社発行第３０２頁）」（以下、「引用刊行物３」という。）に記載されているように周知の技術手段であり、また「注入口から充填材を充填し、空気孔から充填材の一部が流出したときに充填材の充填を停止すること」は特開昭４８−８７６３０号公報に記載されているように常套手段であること）に基いて容易に発明をすることができたものであるから、特許法第２９条第２項の規定により特許を受けることができないものである。」
というにある。
３．引用刊行物に記載された事項
３−１．　引用刊行物１に記載された事項
　引用刊行物１には、
　『パネル本体を表面板、裏板及び充填材より構成し、前記裏板の周囲縁を除いた内側を下方に膨出しその内側に１個又は数個の膨出部を形成すると共に、前記周囲縁を取付フランジとし、該取付フランジを表面板の周囲縁裏面に一体に取付けて両板間に充填空間を形成すると共に、該充填空間内に充填材を気密状に内蔵した二重床構造に於ける床パネル。』（実用新案登録請求の範囲）、
　『第１図，第２図は本考案パネル本体の第１実施例を示し、（Ａ）は表面板、（Ｂ）は裏板、（Ｃ）は充填材であり、前記表面板（Ａ）の周囲縁裏面に裏板（Ｂ）をスポット，溶接等で取付けて両板（Ａ）（Ｂ）間に充填空間（２）を形成し、該充填空間（２）内に充填材（Ｃ）を気密状に内蔵して形成する。
　表面板（Ａ）及び裏板（Ｂ）は鋼材等の金属板で、表面板（Ａ）は所望大きさの平面四角形状に裁断形成する。
　一方、裏板（Ｂ）は表面板（Ａ）の周囲縁裏面に沿う周囲縁を除いた内側を下方に向けて膨出して周囲に垂直な立上り壁（１ａ）を備えた箱型の膨出部（１）を形成し、その膨出部（１）周囲の立上り壁（１ａ）の前記周囲縁を表面板（Ａ）周囲縁に裏面に取付けるための取付けフランジ（１ｂ）とする。
　また、前記膨出部（１）の膨出面（底面）周囲縁部を除く内側を上方に向けて膨出して底面円弧で断面弓型の補強部（３）を形成する。尚、この補強部（３）の弯曲上面を取付フランジ（１ｂ）のレベルより低いい位置（レベル）とし、表面板（Ａ）との間に連通させた充填空間（２）が形成される様にする。
　上記充填材（Ｃ）は、パネル本体に荷重に対する耐圧強度を付与するためのもので、砂やモルタル及び発泡樹脂や発泡コンクリート等からなるものである。』（第３頁第１５行ないし第５頁第２行）、
　『第４図、第５図は第３実施例を示し、上記第１実施例において詳述した補強部（３）を膨出部（１）の膨出面４箇所に夫々上方に向けて膨出形成したものであり、斯様の様に形成することによって、荷重を分散して受け止める耐圧構造となって耐圧強度を一層増強し得るものである。』（第５頁第１２〜１８行）、および
　『第７図は、パネル本体の形成形態の別例を示し、このパネル本体にあってはまず初めに裏板（Ｂ）の取付フランジ（１ｂ）を表面板（Ａ）の周囲縁裏面に一体に取付けて両板（Ａ）（Ｂ）間に充填空間（２）（第６頁第７行には「（３）」と記載してあるが、「（２）」の誤記である。）を形成する。そして、膨出部（１）の膨出面適当な箇所に開孔した充填孔（４）から充填材（Ｃ）を充填せしめ、充填後において充填孔（４）に栓（５）を嵌合固着せしめて形成したものである。』（第６頁第３行ないし第１１行）
と記載されており、これらの記載および第１図ないし第７図によれば、両板（Ａ）（Ｂ）間に形成される充填空間（２）の容積は、膨出部（１）の膨出によって形成される複数の凹凸部によって減少しているものであることは明らかであり、また、充填孔４の位置は第７図によれば、裏板（Ｂ）の底面端部平坦部に設けられていることが認められるから、引用刊行物１には、第１に、
『両板（表面板Ａ）（裏板Ｂ）の周囲縁裏面を一体に取付けてなる床パネルにおいて、裏板（Ｂ）のフランジ（１ｂ）は平坦になっており、平坦なフランジ（１ｂ）の内側に膨出部（１）の膨出面によって複数の凹凸部を形成し、両板（Ａ）（Ｂ）間に形成される充填空間（２）の容積を膨出部（１）の膨出によって形成される複数の凹凸部によって減少させ、裏板（Ｂ）の底面端部平坦部に充填材の充填孔４を形成し、充填孔４から両板（Ａ）（Ｂ）の間に形成される空間（２）に充填材Ｃを充填し、充填後に充填孔４を栓（５）を嵌合固着せしめて閉塞する床パネル』を構成とする発明（以下、「引用刊行物１の第１発明」という。）が記載されている。
　第２に、引用刊行物１の記載を『床パネル』の製造方法の視座から検討すると、引用刊行物１には、
『鋼板を所望の大きさに裁断形成した表面板と、裏板とから構成し、
　裏板（Ｂ）は表面板（Ａ）の周囲縁裏面に沿う周囲縁を除いた内側を下方に向けて膨出して周囲に垂直な立上がり壁（１ａ）を備えた箱型の膨出部（１）を形成し、その膨出部（１）周囲の立上がり壁（１ａ）の前記周囲縁を表面板（Ａ）周囲縁の裏面に取付けるための取付けフランジ（１ｂ）とする、
　前記膨出部（１）の膨出面（底面）周囲縁部を除く内側を上方に向けて膨出して底面円弧で断面弓型の補強部（３）を形成する、
　裏板（Ｂ）の膨出部（１）の膨出面適当な箇所（第７図によれば、裏板（Ｂ）の底面端部平坦部）に充填材の充填孔４を形成し、
　裏板（Ｂ）の取付フランジ（１ｂ）を表面板（Ａ）の周囲縁裏面に一体に取付けて両板（Ａ）（Ｂ）間に充填空間（２）（第６頁第７行には「（３）」と記載してあるが、「（２）」の誤記である。）を形成する
　そして、充填孔（４）から充填材（Ｃ）を充填せしめ、
　充填後において充填孔（４）に栓（５）を嵌合固着せしめて形成する
　床パネルの製造方法。』を構成とする発明（以下、「引用刊行物１の第２発明」という。）が記載されている。
３−２．引用刊行物２に記載された事項
　引用刊行物２には、
『内部に充填用空間を有する密閉型のパネル本体と、このパネル本体に設けた充填物注入口とを備えた間仕切パネル。』（実用新案登録請求の範囲）、および
『施工後には注入口から内部空間へ充填物（例えば水、常温硬化剤、粒材など）を注入する』（第２頁第１４行ないし１６行）、
『図において、１は内部に充填用空間２を有する密閉型のパネル本体、３は連通孔４を有する補強材、５は本体１に設けた充填物注入口、６は排出口、７、８は栓である。』（第２頁第１９行ないし第３頁第２行）、
『なお注入口５を下端に設けたものや排出口６をもたないものもこの考案の実施例である。』（第３頁第１２行ないし第１３行）
と記載されており、さらに第２図によれば、『パネル本体の一つの隅部に作られた注入口５と対角線上の一つの隅部に位置して作られた排出口６』の構成が記載されているものと認められるから、これらの記載および第１図ないし第４図によれば、充填物注入口５は下端の一つの隅部に設けたものが含まれ、その場合には対角線上に位置している充填物排出口６は上端の一つの隅部に設けられるものと認められるから、引用刊行物２には、
『内部に充填用空間２を有する密閉型のパネル本体１と、このパネル本体１に設けた充填物注入口５（下端の一つの隅部に設けられるものが含まれる）と充填物排出口６（上端の一つの隅部に設けられるものが含まれる）とを備え、充填物注入口５と充填物排出口とは互いに対角線上に位置しており、充填後注入口５、排出口６をそれぞれ栓７、８で塞いで形成される間仕切パネル。』
を構成とする発明が記載されている。
３−３．引用刊行物３に記載された事項
　引用刊行物３には、
『密閉型の場合は樹脂の流入口と空気の排出口を設け、図３．２９６に示すように型を傾斜したり、あるいは図３．２９９に示すように空気抜きを設けて空気が閉じこめられないように工夫する。樹脂は底部に入るよう樹脂導入管をつけ、樹脂も混合容器の底部から注入する方法がとられる。』（第３０２頁第１４行ないし第１８行）と記載されており、この記載および図３．２９６によれば、
『充填材の注入法として、注入口を下方に、空気抜き孔を上方に位置するように、傾斜させて配置して注入を行うこと』を構成とする発明が記載されている。
４．対比・判断
４−１．本願第１発明について
　本願第１発明と引用刊行物１の第１発明とを比較すると、引用刊行物１の第１発明の『両板（表面板Ａ）（裏板Ｂ）の周囲縁裏面を一体に取付けてなる床パネルにおいて』、『裏板（Ｂ）の縁部は平坦になっており、平坦な縁部の内側に膨出部（１）の膨出面によって複数の凹凸部を形成し、両板（Ａ）（Ｂ）間に形成される充填空間（２）の容積を膨出部（１）の膨出によって形成される複数の凹凸部によって減少させ』、『充填材Ｃの充填孔４』、『空間（２）』および『床パネル』は、本願第１発明の「表面板と裏面板とを少なくともそれらの端部において接合し、一体化してなるフロアパネルにおいて」、「前記裏面板の前記縁部に平坦部を形成すると共に前記裏面板の前記縁部の内側に複数の凹凸部を形成し、前記表面板と前記裏面板の間の空間の容積を前記凹凸部によって減少させ、」、「充填材の注入口」、「空間」および「フロアパネル」に、それぞれ順に相当するから、
双方の発明は、フロアパネルとして、
「表面板と裏面板とを少なくともそれらの端部において接合し、一体化してなるフロアパネルにおいて、前記裏面板の前記縁部に平坦部を形成すると共に前記裏面板の前記縁部の内側に複数の凹凸部を形成し、前記表面板と前記裏面板の間の空間の容積を前記凹凸部によって減少させ、前記裏面板に充填材の注入口を形成し、前記注入口から前記空間内に前記充填材を充填したことを特徴とするフロアパネル。」である点で一致するが、
次の点で相違する。
　相違点；本願第１発明では、「裏面板の一つの隅部付近に充填材の注入口を形成し、前記裏面板の前記注入口の対角線上の他の隅部付近には空気抜き孔を形成した」のに対して、引用刊行物１の第１発明では、「裏面板の縁部に注入口が形成されているが、裏面板の一つの隅部付近に形成されたものかどうか明確でないとともに、空気抜き孔が形成されていない」点。
　この相違点について検討すると、引用刊行物２の発明は、
『内部に充填用空間２を有する密閉型のパネル本体１と、このパネル本体１に設けた充填物注入口５（下端に設けられるものが含まれる）と充填物排出口６（上端に設けられるものが含まれる）とを備え、充填物注入口５と充填物排出口とは互いに対角線上に位置しており、充填後注入口５、排出口６をそれぞれ栓７、８で塞いで形成される間仕切パネル。』
を構成とする発明であって、『（上端に設けられた）充填物排出口６』は、充填材が注入されたときには空気抜き口の機能を果たすことは明らかである。
　ところで、引用刊行物２の発明は、『間仕切』用のパネルであるのに対し、本願第１発明は「フロア」用であるが、本願第１発明、引用刊行物１の第１発明、及び引用刊行物２の発明は、建築用部材のパネルという同じ技術分野に属する。
　してみると、引用刊行物２の発明は、前記相違点１の構成を充足する構成を有するものであるから、当業者が、引用刊行物２の発明に基いて前記相違点１の構成に想到し、これを引用刊行物１の発明に適用することに困難性は認められない。
　そして、本願第１発明の奏する
「【発明の効果】本発明のフロアパネルでは、表霞板と裏面板の間に形成された空間の容積が裏面板の凹凸部によって減少し、この結果、充填材の充填量が減少するから、凹凸部を有さないフロアパネルに比較してフロアパネル全体の重量を減少させることができる。これにより、フロアパネルを床に設置する場合の持ち運びが容易になり、優れたフロア施工性を有する。
　また．フロアパネルの裏面板に形成された凹凸部は充填材の充填時に注入された充填材に適度の流れ抵抗を生じ、この流れ抵抗によって充填材はフロアパネルの全体に均一に充填される。すなわち、フロアパネルの裏面板に凹凸部が存在しないと、充填材は注入口から空気抜き孔まで最短距離を辿って移動する傾向が強く、充填材がこのような経路を辿って移動すると、フロアパネルの縁部や隅部に充填材が充填される前に充填材は空気抜き孔から溢れ出ることになる。これを防止するため、注入口と空気抜き孔の中間部に凹凸部を形成して充填材に流れ抵抗を付与すると共に、縁部を平坦部として充填材の流入抵抗を減少させたのである。これにより、注入口から注入された充填材は、注入口から空気抜き孔まで最短距離を辿って移動する傾向が減ぜられ、縁部から中央部に回り込むような流れをも生じ、フロアパネルの内部を注入口側から空気抜き孔側に向かって確実に満たしつつ、空気抜き孔に達する。したがって、フロアパネルの中央部はもとより、特に高い強度が要求される縁部及び隅部への充填も確実に行われる。これにより、フロアパネルの強度を増大させることができる。」という効果（明細書段落３５，３６参照）は、当業者が引用刊行物１および２の発明に基いて予測できる程度のものである。
　したがって、本願第１発明は、その出願前にその発明の属する技術の分野における通常の知識を有する者が、その出願前に国内において頒布された引用刊行物１および引用刊行物２に記載された発明に基いて容易に想到することができたものである。
４−２．本願第２発明について
　本願第２発明と引用刊行物１の第２発明とを比較すると、
　引用刊行物１の第２発明の『鋼板を所望の大きさに裁断形成した表面板と、裏板とから構成し、』の構成は、
本願第２発明の「表面板を形成する工程と、」の構成を包含し、発明の構成として相当し、
　引用刊行物１の第２発明の『裏板（Ｂ）は表面板（Ａ）の周囲縁裏面に沿う周囲縁を除いた内側を下方に向けて膨出して周囲に垂直な立上がり壁（１ａ）を備えた箱型の膨出部（１）を形成し、その膨出部（１）周囲の立上がり壁（１ａ）の前記周囲縁を表面板（Ａ）周囲縁の裏面に取付けるための取付けフランジ（１ｂ）とする、』の構成と『前記膨出部（１）の膨出面（底面）周囲縁部を除く内側を上方に向けて膨出して底面円弧で断面弓型の補強部（３）を形成する、』の構成、および『裏板（Ｂ）の膨出部（１）の膨出面適当な箇所（第７図によれば、裏板（Ｂ）の底面端部平坦部）に充填材の充填孔４を形成し、』の構成は、
本願第２発明の「縁部に平坦部を、前記縁部の内側に凹凸部をそれぞれ有し、かつ、充填材の注入口を、有する、裏面板を形成する工程と、」の構成に相当し、
　引用刊行物１の第２発明の『裏板（Ｂ）の取付フランジ（１ｂ）を表面板（Ａ）の周囲縁裏面に一体に取付けて両板（Ａ）（Ｂ）間に充填空間（２）（第７行には「（３）」と記載してあるが、「（２）」の誤記である。）を形成する』の構成は、
本願第２発明の「前記表面板と前記裏面板とを少なくともそれらの縁部で接合して一体化し、前記表面板と前記裏面板の間に空間を形成する工程と、」の構成に相当し、
　引用刊行物１の第２発明の『充填孔（４）から充填材（Ｃ）を充填せしめ、』は、本願第２発明の「前記注入口から充填材を前記空間内に充填し、」の構成に相当し、
　引用刊行物１の第２発明の『充填後において充填孔（４）に栓（５）を嵌合固着せしめて形成する』の構成は、
本願第２発明の「前記注入口を閉塞する工程と、を有すること」の構成に相当し、および
　引用刊行物１の第２発明の『床パネルの製造方法。』の構成は、
本願第２発明の「フロアパネルの製造方法。」の構成に相当するものであるから、
双方の発明は、
「表面板を形成する工程と、
　縁部に平坦部を、前記縁部の内側に凹凸部をそれぞれ有し、かつ、充填材の注入口を有する裏面板を形成する工程と、
　前記表面板と裏面板とを少なくともそれらの縁部で接合して一体化し、前記表面板と前記裏面板の間に空間を形成する工程と、
　前記注入口から充填材を前記空間内に充填し、
　前記注入口を閉塞する工程と、を有することを特徴とするフロアパネルの製造方法。」
である点で一致し、次の点で相違する。
　相違点１；本願第２発明では、「一つの隅部付近に充填材の注入口を、該注入口が位置する対角線上の他の隅部付近に空気抜き孔をそれぞれ有する裏面板を形成した」のに対して、引用刊行物１の第２発明では、「裏面板の縁部に注入口が形成されているが、裏面板の一つの隅部付近に形成されたものかどうか明確でないとともに、空気抜き孔が形成されていない」点。
　相違点２；フロアパネル（床パネル）に充填材を注入する際に、本願第２発明では、「注入口が下方に位置しかつ空間抜き孔が上方に位置するように、一体化された表面板と裏面板を傾斜させて配置し、前記空間抜き孔から前記充填材の一部が流出したときに前記充填材の充填を停止する」のに対して、引用刊行物１の第２発明では、この工程を備えていない点。
　これらの相違点について検討する。
　まず相違点１について
　引用刊行物２の発明は、『内部に充填用空間２を有する密閉型のパネル本体１と、このパネル本体１に設けた充填物注入口５（下端に設けられるものが含まれる）と充填物排出口６（上端に設けられるものが含まれる）とを備え、充填物注入口５と充填物排出口とは互いに対角線上に位置しており、充填後注入口５、排出口６をそれぞれ栓７、８で塞いで形成される間仕切パネル。』を構成とする発明であって、その『充填物注入口５と充填物排出口６とは互いに対角線上に位置している』構成は、相違点１の構成である「一つの隅部付近に充填材の注入口を、有する、裏面板を形成する工程と、」の構成および「該注入口が位置する対角線上の他の隅部付近に空間抜き孔をそれぞれ有する、裏面板を形成する工程と、」の構成を備えており、当業者が「裏面板を形成する工程」において、相違点１の構成に想到し、これを引用刊行物１の第２発明に適用することに困難性は認められない。
　相違点２について
　引用刊行物３の『充填材の注入法として、注入口を下方に、空気抜き孔を上方に位置するように、傾斜させて配置して注入を行うこと』を構成とする発明は、相違点２の構成である「前記注入口が下方に位置しかつ前記空間抜き孔が上方に位置するように、一体化された前記表面板と前記裏面板を傾斜させて配置する工程と、」を備えており、また、本願の出願前「充填材の注入法として、注入口を下方に、空気抜き孔を上方に位置するようにして注入すること」は、周知の技術的事項であることを併せ考慮すると（例えば、実願昭５５−１７３３０７（実開昭５７−９５９１０号公報）のマイクロフイルムの『注入口１９より圧入した配合液３６は、第７図に示すように保温材充填空間Ａの下方より押し上げるように満たされ始め、その分の空気は溢出口２８より抜け出る。（中略）傾斜はあまり大きくない方が望ましい。保温材充填空間Ａの上方まで完全に満たされると溢出口２８からは空気に代わって余分な配合液３６が抜け出る』（第９頁第２行ないし第１１行）との記載、実願昭５６−１１１４９７９（実開昭５８−２１４１７号公報）のマイクロフイルムの『この空気抜孔１４は（中略）注入口１３より上方に位置すると共に、該注入口１３より最も遠い位置に存するようになっている。（中略）この状態で注入口１３より尿素樹脂フオーム原液を注入する。すると、該尿素樹脂フオームは（中略）外箱１と内箱２の空間層全体へと広がる。この時、上記空間層内に充満している空気は尿素樹脂フオーム１５の成長と共に空気抜孔１４より押し出され、やがては上記空間内は尿素樹脂フオーム１５で充満されることとなる。』（第３頁第３行ないし第１７行）との記載、および特開昭４９−５４４６４号公報の『下部に注入孔を有し、上部に空気抜き孔を設けた組立て金型中に、押出材中で加熱溶融された成型材料を該金型下部の注入孔より注入することを特徴とする射出注入成型法。』（特許請求の範囲）との記載等参照）、当業者が充填材を注入するに当たって相違点２の構成のようにすることに想到し、これを引用刊行物１の第２発明に適用することに困難性は認められない。
　また、注入口が下方に設けられかつ空気抜き孔が上方に設けられた場合には不可避的に「空気抜き孔から充填材が溢れる寸前ないし少々溢れた時に充填を停止する工程」がとられることは周知の技術的事項である。（例えば、前記した実願昭５５−１７３３０７（実開昭５７−９５９１０号公報）のマイクロフイルムの『保温材充填空間Ａの上方まで完全に満たされると溢出口２８からは空気に代わって余分な配合液３６が抜け出る（中略）確認したら注入を停止する』（第９頁第８行ないし第１２行）との記載等参照）。
　そして、本願第２発明の奏する
「【発明の効果】そして、本発明のフロアパネルの製造方法によれば、充填材の充填作業中、フロアパネル内の空気は空気抜き孔から流出するから、フロアパネル内への充填材の充填は円滑に行われる。また、フロアパネル内が充填材で満たされると、充填材の一部が空気抜き孔から流出するから、これによりフロアパネルへの充填材の充填が完了したことを知ることができる。したがって、フロアパネルに対する複数箇所からの充填材の注入や、フロアパネルに充填された充填材が如何なる分布状態を有するかの確認が不要であり、フロアパネル製造の自動化、機械化が容易であるという効果を生じる。」という効果（明細書段落３６参照）は、当業者が引用刊行物１、２，３の発明および前示の周知の技術的事項に基いて予測できる程度のものである。
　したがって、本願第２発明は、その出願前にその発明の属する技術の分野における通常の知識を有する者が、その出願前に国内において頒布された引用刊行物１、引用刊行物２、引用刊行物３に記載された発明および前示の周知の技術的事項に基いて容易に想到することができたものである。
５．むすび
　以上のとおりであるから、本願第１発明は、その出願前にその発明の属する技術の分野における通常の知識を有する者が、その出願前に国内において頒布された引用刊行物１および引用刊行物２に記載された発明に基いて容易に発明をすることができたものであるから、特許法第２９条第２項の規定により特許を受けることができないものである。
　また、本願第２発明は、その出願前にその発明の属する技術の分野における通常の知識を有する者が、その出願前に国内において頒布された引用刊行物１、引用刊行物２、引用刊行物３に記載された発明および前示の周知の技術的事項に基いて容易に発明をすることができたものであるから、特許法第２９条第２項の規定により特許を受けることができないものである。
　よって、結論のとおり審決する。